(57)【要約】  【課題】  魚介類の蝟集・育成効果を奏効し、且つ、製造コストを可及的に低廉にして製造することを目的とする。  【解決手段】上記目的を達成するために、生体類の蝟集、付着、育成効果、特に魚介類の蝟集・育成効果に優れた生体誘引物質をコンクリート内に混在させるために、該コンクリート付設後に実施されるコンクリート養生に用いられる養生剤にアミノ酸を混和させ、該アミノ酸を混和した養生剤をコンクリート養生に使用することにより、コンクリート養生を実施させると共に、養生させたコンクリート構造物が河川・海岸・海洋及び湖沼中で、前記アミノ酸が徐々に流出され、早期にコンクリート構造物の表面に生物膜を形成することができるように構成されることを特徴とするコンクリート構造物。【選択図】図１
2017135988.tif 000002
【特許請求の範囲】
【請求項１】
生体類の蝟集、付着、育成効果、特に魚介類の蝟集・育成効果に優れた生体誘引物質をコンクリート内に混在させるために、該コンクリート付設後に実施されるコンクリート養生に用いられる養生剤にアミノ酸を混和させ、該アミノ酸を混和した養生剤をコンクリート養生に使用することにより、コンクリート養生を実施させると共に、養生させたコンクリート構造物が河川・海岸・海洋及び湖沼中で、前記アミノ酸が徐々に流出され、早期にコンクリート構造物の表面に生物膜を形成することができるように構成されることを特徴とするコンクリート構造物。
【請求項２】
生体類の蝟集、付着、育成効果、特に、魚介類の蝟集・育成効果に優れた生体誘引物質をコンクリート内に混在させるために、該コンクリート付設後に、特に、コンクリート養生を必要としない場合においても、コンクリート養生剤等から成る物質にアミノ酸を混和させ、該アミノ酸を混和した該物質を該コンクリート表面に塗布し、該物質が塗布されたコンクリート構造物が河川・海岸・海洋及び湖沼で前記アミノ酸が徐々に流され、早期にコンクリート表面に生物膜を形成するように構成されたことを特徴とするコンクリート構造物。
【請求項３】
上記アミノ酸はアルギニンであることを特徴とする請求項１及び２記載のコンクリート構造物。
【発明の詳細な説明】
【技術分野】
【０００１】
本発明は、コンクリート構造物に関するものであり、特に、漁港、港湾、海岸、河川等の護岸としての使用、或いは漁礁として海岸捨て込み等に使用されるコンクリート構造物であって、生体類の蝟集、育成効果、特に、魚介類の蝟集、育成効果に寄与するコンクリート構造物に関するものである。
【背景技術】
【０００２】
従来、漁港、港湾、海岸、河川等において、外海等から来襲する波浪を遮り、静穏な水面保持をはかることを目的として、岸近くに消波ブロックを敷き並べて堤防を構築することが知られている。（例えば、特許文献２参照）。
【０００３】
前記特許文献２に示される消波ブロックは、少なくとも３本以上の脚体を有してなるコンクリートブロックを使用している。
【０００４】
ところで、漁港、海岸、河川等の護岸としての使用、あるは漁礁として海洋捨て込みして使用するブロックは、生体類の蝟集・付着・育成効果、特に魚類の蝟集・育成効果に優れるものが要求されている。
【０００５】
上述の生体類の蝟集・付着・育成効果を得るために、コンクリート表面を粗化、あるいは微細構造を作ることで、海藻類を付着させる（特許文献１）、コンクリートブロックの表面にアミノ酸を塗布する（特許文献３）、コンクリートブロックの製造時にアミノ酸をコンクリート中に混練する（特許文献４）ことによって、生体類の蝟集・付着・育成効果を有するコンクリートブロックが得られることは知られている。
【先行技術文献】
【特許文献】
【０００６】
【特許文献１】特開２００７−２１５５３２号公報
【特許文献２】特開２０００−３３６６３０号公報
【特許文献３】特開２００８−２９５４４１号公報
【特許文献４】特開平１０−１３５２号公報
【発明の概要】
【発明が解決しようとする課題】
【０００７】
しかしながら、特許文献１に記載されるコンクリートブロックは生体類の付着のみを促すのみであり、育成効果は期待できす、発生した海藻類に対しての間接的な効果はあるものの、魚類の蝟集、育成効果は原理的に難しい。特許文献２に記載されているコンクリートブロックのように、表面に生体誘引物質を塗布したコンクリートブロックの構造は、生体誘引物質を環境中に流出させることにより、生体類の蝟集・付着・育成効果は期待されるが、水中に捨て込みした場合に表面が河川の流れや波によって洗われるので、生体誘引物質が直ぐに剥がれて流失し、魚介類を一箇所に集める蝟集・育成効果、及び、藻の付着・育成効果を維持できないという問題点があった。
【０００８】
一方、特許文献４に記載されるコンクリートブロックのように、生体誘引物質を混練したコンクリートブロクでは、混練した生体誘引物質がコンクリートブロックから徐々に流出することになるので、長期間に亘って生体類の蝟集・付着・育成効果を維持することができる。しかしながら、該特許文献４記載のコンクリートブロック及び特許文献１記載のコンクリート表面を粗化する或いは、微細構造にするコンクリートは材料単価が高く、コンクリート構造物の製造コスト高が生じる。
【課題を解決するための手段】
【０００９】
本発明は上記課題を克服し、生物の蝟集、付着、育成効果、特に、魚介類の蝟集、育成効果を奏効し、且つ、製作コストの低廉なコンクリート構造物を得る為に請求項１記載の発明は、生体類の蝟集、付着、育成効果、特に魚介類の蝟集・育成効果に優れた生体誘引物質をコンクリート内に混在させるために、該コンクリート付設後に実施されるコンクリート養生に用いられる養生剤にアミノ酸を混和させ、該アミノ酸を混和した養生剤をコンクリート養生に使用することにより、コンクリート養生を実施させると共に、養生させたコンクリート構造物が河川・海岸・海洋及び湖沼中で、前記アミノ酸が徐々に流出され、早期にコンクリート構造物の表面に生物膜を形成することができるように構成されることを特徴とするコンクリート構造物を提案する。
【００１０】
この構成によれば、コンクリート構造物の脱型後、該コンクリートの養生に用いられる例えば、石油系パラフィンから成る養生剤にアミノ酸が混和されているので、該コンクリート構造物を漁港、海岸、河川等の護岸用として用いられ、或いは、漁礁として海洋に捨て込みして使用されることは当然であるが、更に、前記アミノ酸は徐々に流出し、魚介類が早期に蝟集する。
尚、詳述すれば、特に、養生剤として液状パラフィンを用い、之にアミノ酸を混和させれば、該アミノ酸と液状パラフィンとは相互に溶解せず、且つ、該パラフィン自体は水には溶けず、非揮発性で化学的に安定した状態で通常の条件では酸化しない。更に、乳化しやすく、且つ、のびや浸透性に優れているので、未硬化のコンクリート内に浸透して前記アミノ酸も該コンクリート内、特に、該コンクリートの表面近傍に取り込まれることになり、斯くして、海洋等に敷設されたコンクリート構造物から該アミノ酸が長期に及んで徐々に海洋に放出され、特に、魚介類の蝟集、育成並びに海藻等の発生、育成に寄与することになるのである。
【００１１】
又、請求項２記載の発明は、生体類の蝟集、付着、育成効果、特に、魚介類の蝟集・育成効果に優れた生体誘引物質をコンクリート内に混在させるために、該コンクリート付設後に、特に、コンクリート養生を必要としない場合においても、コンクリート養生剤等から成る物質にアミノ酸を混和させ、該アミノ酸を混和した該物質を該コンクリート表面に塗布し、該物質が塗布されたコンクリート構造物が河川・海岸・海洋及び湖沼で前記アミノ酸が徐々に流され、早期にコンクリート表面に生物膜を形成するように構成されたことを特徴とするコンクリート構造物を提供する。
【００１２】
この構成によれば、コンクリートの脱型後、特に、該コンクリートの養生を必要としない場合においても、コンクリート養生剤等から成る物資にアミノ酸を混和し、そして該物質が脱型後のコンクリート構造物の表面に塗布されるので、該コンクリート構造物は前記請求項１記載と全く同一の作用が期待できる。
【００１３】
更に又、請求項３記載の発明は、上記アミノ酸はアルギニンであることを特徴とする請求項１及び２記載のコンクリート構造物を提供する。
【００１４】
この構成によれば、アルギニンが徐々に海洋等に流出し、請求項１及び２記載と同様の作用が期待される。更に、アルギニンの臭気が水中に放出され、この臭気が魚類の味覚器に対して感受性を付与し、該魚類を１箇所に蝟集させる作用が促進される。
【発明の効果】
【００１５】
本発明は、アミノ酸を混和させた養生剤等をコンクリートの脱型後に、該コンクリート表面に装着して成るから、該コンクリートの養生の必要性の有無にかかわらず、該コンクリート構造物を漁港、港湾、海岸、河川等の護岸として使用される時、或いは、漁礁として海岸等に捨て込みされる時、前記養生剤に混和されたアミノ酸が海洋中に徐々に流出し、そして、早期に魚介類の蝟集、及び育成効果、並びに海藻の付着、育成効果を発揮すると共に、該コンクリート構造物の製作コストを低廉に収める事もでき、更に、アミノ酸としてアルギニンを用いることにより、臭気を発散させて魚類の蝟集を助成させることもできる。
【図面の簡単な説明】
【００１６】
【図１】本発明を一実施形態として示す消波ブロックの正面図
【図２】図１の背面図
【図３】図１の右側面図
【図４】図１の左側面図
【図５】図１の平面図
【図６】図１の底面図
【発明を実施するための形態】
【００１７】
本発明は、漁港、港湾、海岸、河川等の護岸として使用、或いは、漁礁として海洋捨て込み等として使用されるコンクリート構造物が効力良く、魚介類の蝟集、育成効果を発揮し、更に、海藻の付着並びに育成に寄与し、且つ、可及的安価製作すると言う目的を達成するために、生体類の蝟集、付着、育成効果、特に魚介類の蝟集・育成効果に優れた生体誘引物質をコンクリート内に混在させるために、該コンクリート付設後に実施されるコンクリート養生に用いられる養生剤にアミノ酸を混和させ、該アミノ酸を混和した養生剤をコンクリート養生に使用することにより、コンクリート養生を実施させると共に、養生させたコンクリート構造物が河川・海岸・海洋及び湖沼中で、前記アミノ酸が徐々に流出され、早期にコンクリート構造物の表面に生物膜を形成することができるように構成されることを特徴とするコンクリート構造物を提供するものである。
【実施例１】
【００１８】
以下、本発明の好適な一実施例を添付図面を参照して説明する。
【００１９】
図１乃至図６は、本発明を適用したコンクリート構造物を示すもので、消波ブロックを一例としている。該消波ブロックは、型枠（図示せず）にコンクリートを打設して製造されるものであるが、コンクリートを打設し、そして、該型枠を離型し、然る後に、該コンクリートは所定期間に及んで養生が実施される。又、例えば、速硬性のコンクリートを使用する場合等は、養生効果を必要としない場合もあるが、本発明は、養生効果の有無に拘わらず、パラフィン等から成る養生剤（図示せず）にアミノ酸（図示せず）を混和させる。該アミノ酸としてアルギニン（図示せず）が用いられるを可とする。然るときは、該アルギニンはアミノ酸の有する魚介類の蝟集及び、育成効果並びに海藻の付着・育成に寄与することは当然であるが、該アルギニン独特の臭気が、魚介類の蝟集を一層助成させる。
【００２０】
而して、本発明は前記アミノ酸を混和した養生剤が離型後、コンクリート未硬化時に、該コンクリート表面に装着され、そして、コンクリートが均一な所定の硬度を有して固化した時、前記アミノ酸が混和された養生剤もその儘、該コンクリート表面に該コンクリートと一体に装着された状態を保持するか、或いは、特に、液状パラフィンを養生剤として用いる時は、該パラフィンはコンクリート内に浸透し、依って、アミノ酸がコンクリート内に混在することになる。
【００２１】
そこで、前記消波ブロックを型枠を用いて製造される工程を詳述する。該消波ブロック１は、同一形状をした４個の脚体２ａ、２ｂ、２ｃ、２ｄを有するコンクリートブロックであり、型枠（図示せず）にコンクリートを流し込んで一体的に成形される。また、成形時、各脚体２ａ、２ｂ、２ｃ、２ｄは、その各基端部３ａ、３ａ、３ａ、３ａを互いに結合させるとともに、各脚体２ａ、２ｂ、２ｃ、２ｄの軸線４，４，４，４、を該消波ブロック１の中心０（重心）に合致させて、該４個の脚体２ａ、２ｂ、２ｃ、２ｄが中心０から略１２０°間隔で放射状に延設された状態にして形成される。
【００２２】
又、本実施例においては、消波ブロック１の表面積を増やすことができるようにするために、前記４個の脚体２ａ、２ｂ、２ｃ、２ｄを、該脚体２ａ、２ｂ、２ｃ、２ｄの長さ方向に沿って設けられている６本の稜線部２２、２２・・・と該稜線部２２、２２・・・の間に各々設けられている平面図２３，２３・・・を有するようにして、横断面が正六角形をした六面柱として形成している。また、各脚体２ａ、２ｂ、２ｃ、２ｄは、横断面の面積が基端部３ａから先端部３ｂに向かって徐々に小さくなる先細りをした六角錐状に形成するとともに、先端部３ｂの端面２４もカットして平坦面に形成している。
【００２３】
さらに、４この脚体２ａ、２ｂ、２ｃ、２ｄのうちの、３個の前記脚体（図１の場合では脚体２ａ、２ｂ、２ｃ）の基端部３ａ，３ａ，３ａが各々集合されている４つの各部位はそれぞれ略水平面を成し、該水平面の中央部位にはそれぞれ凹陥部５，５，５，５を設けている。該各凹陥部５，５，５，５は、不連続に離間して形成された３個の第１凹陥部５ａ，５ａ，５ａと該３個の第１凹陥部５ａ，５ａ，５ａで囲まれた内側部位に設けられた１個の第２凹陥部５ｂとからなる。
【００２４】
そして、前記第１凹陥部５ａ，５ａ，５ａは、３個の前記脚体（図１の場合では脚体２ａ、２ｂ、２ｃ）のうち、相互に隣接している脚体間（図１の場合では脚体２ａと２ｂ、２ｂと２ｃ、２ｃと２ａ）に形成されている。なお、各第１凹陥部５ａ，５ａ，５ａに夫々設けられている切り欠き部６，６，６は、第１凹陥部５ａ，５ａ，５ａ内に入り込んだ水を外部に排出し易くする。
【００２５】
他方、前記第２凹陥部５ｂは、３個の第１凹陥部５ａ，５ａ，５ａで囲まれた内側部位に、前記第１凹陥部５ａの内方に段設部を設けた状態にして、平面視角形に形成されている。また、第２凹陥部５ｂの底面８には、図示しない微小な縞状の凹凸が形成してある。
【００２６】
このように構成された消波ブロック１は、漁港、海岸、河川等の岸近くの水中及び堤防に並べて配置され、漁礁や消波提を構築する。なお、漁礁及び消波提の構築においては、消波ブロック１は一段配列とは限らず、数段とすることもある。
【００２７】
そして、水中に設置された消波ブロック１は、水と接触する表面積が大となるので、養生剤に混和されているアミノ酸が該消波ブロック表面から適量ずつ徐々ににじみ出て魚介合類の蝟集・育成効果及び藻の付着・育成効果に寄与するのである。
【実施例２】
【００２８】
養生剤の重量に対する添加率
アルギニン養生剤の重量に対して５％、１５％で混和・懸濁させた。対試検体としてア
ルギニンをまったく混和させない養生剤（０％）用意した。アルギニン添加の際、養生剤
が油分と水分を分離させない養生剤を選定した。このときの養生剤の成分は表１に示す。
【００２９】
【表１】
2017135988.tif 000003
【００３０】
藻類繁殖状況(漁港内での沈設実験
濃度を変えてアルギニンを添加した養生剤をコンクリート供試体(100×100×400mm)に噴霧し、沈設した供試体に藻類が繁茂するか実証実験を東京都離島にて行った。供試体は水深約5m程度の海底に着底させ、沈設から2週間、1ヶ月、3ヶ月後に海中から供試体を引上げ、目視による観察・写真撮影によるモニタリングを行った。モニタリング後は供試体表面が乾かないうちに速やかに海中の元の位置に戻した。モニタリングではブロックに藻類の活着が確認されたその結果を表2に示す。
【００３１】
【表２】
2017135988.tif 000004
【００３２】
藻類以外の生物の付着について
沈設1ヶ月後のアルギニン濃度5wt%供試体にはアワビとウニの幼体が付着していた。
圧縮強度試験(打設後7日)
養生剤の品質確認のため圧縮強度試験用供試体(φ100mm×200mm)を作製し外観を確認し圧縮試験を行った。外観・圧縮強度に問題はなかった。結果を表3に示す。
【００３３】
【表３】
2017135988.tif 000005
【００３４】
なお、本発明は、本発明の精神を逸脱しない限り種々の改変を為すことができ、そして、本発明が該改変されたものに及ぶことは当然である。
【産業上の利用可能性】
【００３５】
以上説明したように、本発明は消波ブロックに適用した場合について説明したが、消波ブロックに限ることなく、一般的なコンクリートブロックにも応用できる。
【符号の説明】
【００３６】
１    消波ブロック
２ａ、２ｂ、２ｃ、２ｄ  脚体
３ａ  基端部
３ｂ  先端部
４    軸線
５    凹陥部
５ａ  第１凹陥部
５ｂ  第２凹陥部
６    切り欠き部
８    底面
１０  消波ブロック
１１  貯留部
１２  管上連結部
２２  稜線部
２３  平面部
２４  端面
０    中心（重心）
【図１】
2017135988.tif 000006
【図２】
2017135988.tif 000007
【図３】
2017135988.tif 000008
【図４】
2017135988.tif 000009
【図５】
2017135988.tif 000010
【図６】
2017135988.tif 000011